(57)【要約】【課題】米の種類が異なれば、嵩密度も異なるのに、従来は計量枡の容量基準で計量して取出していたので、種類が異なると、実体量に見合った形で正確に計量して取出すことができない。また、定量取出しだと、量が変わる場合には二次計量が必要となる。【解決手段】回転するスクリュー３５を内部に収容したシリンダー３１に米Ｒを入れ、そこからスクリュー３５の回転により設定した重量だけ送り出しカップＣ内に落下させる。カップＣはロードセル上に載せられて重量計測されており、その計測量が設定量になると、スクリュー３５の回転は停止し、取出しを終了する。従来と異なり、秤量しながら取出しているので、米の種類が変わっても実体量に見合った形で正確に計量でき、しかも取出し量の設定が変更できるので、所望量だけ取り出せる。【選択図】        図６
2014200404.tif 000002
【特許請求の範囲】
【請求項１】
米を貯留しておくための貯留部と、前記貯留部の下部と連通し、米の秤量取出し機構を備えた米びつにおいて、
前記秤量取出し機構は、米の取出し重量を設定する設定手段と、米送り手段と、前記米送り手段の送り動作により取出された米の重量を逐次計測する重量計測手段と、前記重量計測手段からの計測結果が設定量に達したとき前記米送り手段の送り動作を停止させる取出し制御手段とを備え、米の設定重量での取出しを可能としたことを特徴とする米びつ。
【請求項２】
請求項１に記載した米びつにおいて、
取出し制御手段は、重量計測手段からの計測結果が設定量より所定量少ない状態になると、送り量を少なくして、米の正確な量の取出しを可能としたことを特徴とする米びつ。
【請求項３】
請求項１または２に記載した米びつにおいて、
米送り手段は、回転するスクリューを内部に収容したシリンダーで構成され、前記スクリューの回転により前記シリンダー内の米を先方に送り出し、先方側の取出し口から落下させることを特徴とする米びつ。
【請求項４】
請求項３に記載した米びつにおいて、
取出し制御手段は、重量計測手段からの計測結果が設定量より所定量少ない状態になると、間欠送りにして、米の正確な量の取出しを可能としたことを特徴とする米びつ。
【請求項５】
請求項１から４のいずれかに記載した米びつにおいて、
取出された米を受け取る容器の載置部に重量計測手段としてロードセルを配設したことを特徴とする米びつ。
【請求項６】
請求項５に記載した米びつにおいて、
容器が載置部に載置されたか否かを検知する容器検知手段を設け、前記容器検知手段からの容器載置情報を受取ったときにのみ、米の取出しを可能としたことを特徴とする米びつ。
【発明の詳細な説明】
【技術分野】
【０００１】
本発明は、秤量取出し機構を備える米びつに関するものである。
【背景技術】
【０００２】
特許文献１に記載のように、従来の米の計量取出し機構には計量枡が設けられており、米びつ内に貯留された米がその計量枡内に先ず落下し、そこから更に引出しケースに落下したものを取出すようになっている。すなわち、従来の計量取出し機構は、計量枡の容量を基準とした定量取出しになっている。
【先行技術文献】
【特許文献】
【０００３】
【特許文献１】特開２０１０−１８７７８３号公報
【発明の概要】
【発明が解決しようとする課題】
【０００４】
これまで国内で主に流通している米は殆どがジャポニカ米（短粒種、円粒種）の白米であったが、ジャポニカ米にはうるち米ともち米があり、うるち米でも精米の段階や加工によって、白米・玄米・胚芽米・無洗米に分けられており、これら白米以外のものも流通している。
また、自由化がなされれば、ジャポニカ米とは大きさや形状が異なる米が従来より積極的に国内で流通するものと予測される。
而して、従来の米の計量取出し機構は、上記したように、計量枡の容量を基準として計量しているので、米の種類を変えて嵩密度が変わってくれば、その変えた米を実体量に見合った形で正確に計量することはできない。
また、種々の米を利用するようになれば、利用法も炊飯だけに留まらなくなり拡がっていくものと考えられるが、そうなれば、従来品のように、炊飯ジャーに対応した定量取出しになっていると、炊飯以外の利用に供する場合には更に二次的に計量する必要が出てくる。
【０００５】
本発明は、上記従来の問題点に着目して為されたものであり、米の種類を問わず、どの種類の米を使用した場合でも、実体量に見合った形で正確に計量ししかも所望量だけ取り出せる秤量取出し機構を備えた米びつを提供することを、その目的とする。
【課題を解決するための手段】
【０００６】
本発明は上記課題を解決するためになされたものであり、請求項１の発明は、米を貯留しておくための貯留部と、前記貯留部の下部と連通し、米の秤量取出し機構を備えた米びつにおいて、前記秤量取出し機構は、米の取出し重量を設定する設定手段と、米送り手段と、前記米送り手段の送り動作により取出された米の重量を逐次計測する重量計測手段と、前記重量計測手段からの計測結果が設定量に達したとき前記米送り手段の送り動作を停止させる取出し制御手段とを備え、米の設定重量での取出しを可能としたことを特徴とする米びつである。
【０００７】
請求項２の発明は、請求項１に記載した米びつにおいて、取出し制御手段は、重量計測手段からの計測結果が設定量より所定量少ない状態になると、送り量を少なくして、米の正確な量の取出しを可能としたことを特徴とする米びつである。
【０００８】
請求項３の発明は、請求項１または２に記載した米びつにおいて、米送り手段は、回転するスクリューを内部に収容したシリンダーで構成され、前記スクリューの回転により前記シリンダー内の米を先方に送り出し、先方側の取出し口から落下させることを特徴とする米びつである。
【０００９】
請求項４の発明は、請求項３に記載した米びつにおいて、取出し制御手段は、重量計測手段からの計測結果が設定量より所定量少ない状態になると、間欠送りにして、米の正確な量の取出しを可能としたことを特徴とする米びつである。
【００１０】
請求項５の発明は、請求項１から４のいずれかに記載した米びつにおいて、取出された米を受け取る容器の載置部に重量計測手段としてロードセルを配設したことを特徴とする米びつである。
【００１１】
請求項６の発明は、請求項５に記載した米びつにおいて、容器が載置部に載置されたか否かを検知する容器検知手段を設け、前記容器検知手段からの容器載置情報を受取ったときにのみ、米の取出しを可能としたことを特徴とする米びつである。
【発明の効果】
【００１２】
本発明の米びつによれば、米の種類が異なっても、実体量に見合った形で正確に計量ししかも所望量だけ取り出せる。
【図面の簡単な説明】
【００１３】
【図１】本発明の実施の形態に係る米びつの斜視図である。
【図２】図１の表示パネルの説明図である。
【図３】図１の米びつの内部の斜視図である。
【図４】図１の米びつの内部の斜視図である。
【図５】図１の米びつの電気的構成図である。
【図６】図１の米びつの米送り状態の説明図である。
【図７】図１の米びつによる米秤量取出しフローチャートである。
【発明を実施するための形態】
【００１４】
本発明の実施の形態に係る米びつ１を図面にしたがって説明する。
図１において、符号３はケーシングを示し、このケーシング３は直方体を為している。ケーシング３には天井側に米供給用開口部が設けられており、この米供給用開口部は、供給時以外は通常蓋５で閉じられている。ケーシング３の正面側には、パネル部７が設けられており、図２に示すように、このパネル部７には、バックライト付きのＬＣＤ表示部９と、ＵＰボタン１１と、ＤＯＷＮボタン１３と、ＳＴＡＲＴボタン１５とが並んでいる。また、パネル部７の近傍には、電源スイッチ１７が設けられている。
また、パネル部７の下側では、矩形の米取出し用開口部１９があり、この米取出し用開口部１９を介してその奥の載置部２１へ容器としてのカップＣを差し入れたり、逆にそこからカップＣを取出したりできるようになっている。載置部２１については後で詳述する。
【００１５】
図３に示すように、ケーシング３の内部は水平に嵌め込まれた仕切り板２３によって上下に区切られている。この仕切り板２３には正面側に小さな矩形の連通用開口部２５が形成されており、この連通用開口部２５を介して内部の上下空間が連通している。
仕切り板２３の上面には保持部２７が取付けられている。この保持部２７の内部には正面から背面方向に延びてその両端で貫通する空洞が形成されている。また、保持部２７の上部にも貫通孔が形成されている。
【００１６】
ケーシング３の内部の上側には、貯留部としてのホッパー２９が、その拡径側開口を天井側に向けて配設されており、その縮径側開口が上記した保持部２７の貫通孔から内部に入り込んで固定されている。
符号３１は透明な円筒状のシリンダーを示し、このシリンダー３１は仕切り板２３上に水平に持ち上げ支持されている。シリンダー３１は保持部２７の空洞に通されており、その軸方向両端側が正面側と背面側でそれぞれ突出している。シリンダー３１は保持部２７内で上側が開口しており、その開口が上記したホッパー２９の縮径側開口と連通しており、米がその連通部分を通り抜けてホッパー２９内からシリンダー３１内に落下するようになっている。
【００１７】
シリンダー３１の正面側開口部３３は、シリンダー３１を斜めに切断した形状になっており、その口縁が上側から下側に向かうにつれて正面方向に延びて長円形になっている。この正面側開口部３３の下方に上記した連通用開口部２５が位置している。
シリンダー３１の内部には、背面側開口部からスクリュー３５が入り込んでいる。このスクリュー３５にはシャフトにスパイラル３７が取付けられている。スクリュー３５のシャフトの基端側にはモーター３９の回転軸が連結されており、スクリュー３５はモーター３９から回転力を受取って軸周りに回転するようになっている。
【００１８】
上記した載置部２１は、仕切り板２３の下側に位置しており、天井側以外は隔壁により仕切られて直方形空間になっている。図４に示すように、座面側には歪ゲージ式のロードセル４１が配設されており、背面側には光電式のカップ検知センサー４３が配設されている。このロードセル４１により、座面に置かれたカップＣとその中に溜まっていく米Ｒの重量が計測、すなわち秤量される。また、カップ検知センサー４３により、カップＣの存在が確認される。
【００１９】
載置部２１の背面側には、制御ユニット４５が設置されている。この制御ユニット４５には、図５に示すように、ＣＰＵ４７と、このＣＰＵ４７に内蔵されたＲＡＭ、ＲＯＭ、カウンタが備えられており、このＣＰＵ４７がＲＡＭ等を利用して、電源スイッチ１７、ＵＰボタン１１、ＤＯＷＮボタン１３、ロードセル４１、カップ検知センサー４３からの出力信号を検出部を介して検出すると共に、パネル部７の表示制御回路やモーター３９のドライバに制御指令を行うことで、取出し量の設定や秤量結果の報知や、秤量に伴う重量計測や送りを実現している。
また、電源として乾電式のバッテリー４９が利用されており、これから制御ユニット４５やモーター３９等に電源供給されている。
なお、図３では、制御ユニット４５とセンサー等の有線接続部分は視認の便宜のために図示省略されている。
【００２０】
この米びつ１では、上記した構成により、米をカップＣ内に落下させて取出すようになっている。
図６に示すように、シリンダー３１とホッパー２９は連通しているので、ホッパー２９内に貯留していた米Ｒはシリンダー３１内に自動的に補給される。
米Ｒはシリンダー３１内に落下すると、スクリュー３５のスパイラル３７の間に入り込む。スクリュー３５が軸周りに回転すると、その入り込んだ米Ｒが正面方向に送られるので、シリンダー３１の正面側開口部３３が取出し口となってそこから落下する。落下した米Ｒは、仕切り板２３の連通用開口部２５を通り抜けて載置部２１の座面に置かれたカップＣ内で溜まっていく。正面側開口部３３は斜めになって下側が延出しているので、米Ｒは正面側開口部３３では下側の口縁から落下していくことになり、落下量を調整し易くなっている。
【００２１】
以下、米びつ１の操作方法を、内部の動作と関連付けて説明する。
先ず、取出し量の設定操作について説明する。
電源スイッチ１７を入れると、起動し、ボタンの押下操作のみを受付けるモード（スリープモード）に先ず入り、ＣＰＵ４７は、ＬＣＤ表示部９を点灯させる。
ＵＰボタン１１やＤＯＷＮボタン１３を押下操作すると、ＣＰＵ４７は、その押下信号を検知し、ＵＰボタン１１の押下毎に１０ｇずつ加算し、ＤＯＷＮボタン１３の押下毎に１０ｇずつ減算して、累積重量を設定量として更新していく。長押しの場合には、対応するボタンの種類に応じて加算または減算の更新スピードを上げる。
そして、ＬＣＤ表示部９に更新した設定量（ＳＥＴ）を逐次表示させる。
【００２２】
次に、取出し操作について、図７に従って説明する。
カップＣを載置部２１の座面に置き、ＳＴＡＲＴボタン１５を押下操作する。
ＣＰＵ４７は、その押下信号を検知すると、カップ検知センサー４３からのカップ存在信号によりカップＣの存在を確認した上で、米の秤量取出しモードに入る。
一方、確認できない場合には、ＬＣＤ表示部９に「ＣＵＰ？」と一定時間エラー表示させる。
【００２３】
米の秤量取出しモードに入ると、カップＣをロードセル４１により秤量する。
その後、モーター３９を駆動させてスクリュー３５を連続的に回転させ、連続送りにする。これにより、シリンダー３１内の米Ｒが正面側に連続的に送られ、正面側開口部３３から連続的に落下してカップＣ内に入っていく。
上記送りと並行して、ロードセル４１は逐次秤量しており、ＣＰＵ４７はその重量信号を受取ると、予め秤量しておいたカップＣの重量を差し引いた重量を計測量とし、その計測量と設定量との差を逐次計算する。そして、設定量との差が１０ｇ以内になったところで、モーター３９の駆動を一旦停止し、それから、間欠送りにする。そして１回間欠送りする毎に、ロードセル４１からの重量信号を受取り、設定量との差を計算し、その差が０．５ｇを超えていれば再び間欠送りを行う。その繰り返しにより、差が０．５ｇ以下になったところで、モーター３９を停止させて、取出しを終了する。
【００２４】
取出しを終了すると、ＬＣＤ表示部９に、図２に示すように、設定量（ＳＥＴ）と計測量（ＭＳＲ）を一定時間表示させ、その後にスリープモードに戻る。
なお、フローチャートには示していないが、取出し開始後は、時間もカウントしており、所定時間内に取出しを終了しない場合には、「米」が無い、または詰まった可能性があり、ＬＣＤ表示部９に「Ｔｉｍｅ」と一定時間エラー表示させた後に、モーター３９を停止させて、スリープモードに戻る。この所要時間は、設定量毎に異なっており、設定量が多くなると所定時間も長くなっている。
【００２５】
引き続き取出しをする場合には、カップＣを空にしてから載置部２１に再び置いて、ＳＴＡＲＴボタン１５を押下する。但し、設定量を変更する場合には、上記した設定操作を行ってから取出しを行う。
【００２６】
この米びつ１によれば、上記したように、米を秤量に基づいて取出しているので、米の種類が異なっても実体量に見合った形で正確に計量して取出せる。また、最終段階では、間欠送りで少しずつ米Ｒを送っているので、設定量に精度高く一致した量を取り出せる。
さらに、この米びつ１によれば、設定量を変更できるので、何時でも欲しいだけの量を取出せる。
【００２７】
以上、本発明の実施の形態について詳述してきたが、具体的構成は、この実施の形態に限られるものではなく、本発明の要旨を逸脱しない範囲における設計の変更などがあっても発明に含まれる。
例えば、上記の実施の形態では、バッテリーを電源としているが、ＡＣアダプターを介して商用電源を利用する構成にすることも考えられる。
【産業上の利用可能性】
【００２８】
本発明の米びつは、家電製品の製造業において利用することが可能である。
【符号の説明】
【００２９】
１  …  米びつ                      ３  …  ケーシング
５  …  蓋                          ７  …  パネル部
９  …  ＬＣＤ表示部                １１  …  ＵＰボタン
１３  …  ＤＯＷＮボタン            １５  …  ＳＴＡＲＴボタン
１７  …  電源スイッチ              １９  …  米取出し用開口部
２１  …  載置部                    ２３  …  仕切り板
２５  …  連通用開口部              ２７  …  保持部
２９  …  ホッパー                  ３１  …  シリンダー
３３  …  正面側開口部              ３５  …  スクリュー
３７  …  スパイラル
３９  …  モーター
４１  …  ロードセル                ４３  …  カップ検知センサー
４５  …  制御ユニット              ４７  …  ＣＰＵ
４９  …  バッテリー
Ｒ  …  米
【図１】
2014200404.tif 000003
【図２】
2014200404.tif 000004
【図３】
2014200404.tif 000005
【図４】
2014200404.tif 000006
【図５】
2014200404.tif 000007
【図６】
2014200404.tif 000008
【図７】
2014200404.tif 000009